(57)【要約】【課題】１つの磁石で２方向の動きを非接触で検出できるレバースイッチ装置を提供する。【解決手段】筐体２０と、筐体２０に収容され、第１の回転軸Ｌ１の回りの第１の回転操作の方向に回転移動可能なブラケット３０と、ブラケット３０に収容され、第１の回転操作によりブラケット３０と一体となって第１の回転軸Ｌ１の回りに回転移動可能で、第１の回転軸Ｌ１と交差する第２の回転軸Ｌ２の回りの第２の回転操作の方向にブラケット３０と独立に回転移動可能な操作レバー１０と、操作レバー１０の第１の回転軸Ｌ１の回りに回転移動により第３の回転軸Ｌ３の回りに回転移動し、また、操作レバー１０の第２の回転軸Ｌ２の回りに回転移動により第３の回転軸Ｌ３の回りに第３の回転軸Ｌ３に沿ってスライド移動するマグネット５０と、マグネット５０の回転移動及びスライド移動をそれぞれ独立に検出する２つの検出部（ターン検出センサ８０、ディマ検出センサ９０）と、を備えてレバースイッチ装置を構成する。【選択図】図３
2016012465.tif 000002
【特許請求の範囲】
【請求項１】
筐体と、
前記筐体に収容され、第１の回転軸の回りの第１の回転操作の方向に回転移動可能なブラケットと、
前記ブラケットに収容され、前記第１の回転操作により前記ブラケットと一体となって前記第１の回転軸の回りに回転移動可能で、前記第１の回転軸と交差する第２の回転軸の回りの第２の回転操作の方向に前記ブラケットと独立に回転移動可能な操作レバーと、
前記ブラケットに収容され、前記操作レバーの前記第１の回転操作により前記ブラケットと一体となって前記第１の回転軸の回りに回転移動可能で、前記操作レバーの前記第２の回転操作により前記第１の回転操作の面内でスライド移動可能なホルダと、
前記操作レバーの前記第１の回転操作に伴い第３の回転軸の回りに回転移動する回転ホルダと、
前記回転ホルダに収容され、前記第１の回転操作に伴い前記回転ホルダと一緒に前記回転移動すると共に、前記第２の回転操作に伴い前記第３の回転軸に交差する方向に前記ホルダのスライド移動に伴って前記回転ホルダ内をスライド移動するマグネットと、
前記マグネットの前記回転移動及び前記スライド移動をそれぞれ独立に検出する２つの検出部と、
を有することを特徴とするレバースイッチ装置。
【請求項２】
前記第３の回転軸は、前記筐体側に設けられていることを特徴とする請求項１に記載のレバースイッチ装置。
【請求項３】
前記回転ホルダは、前記第３の回転軸の中心から離間した位置に係合部を有し、前記ブラケットに設けられた突起部により前記係合部と係合し、前記操作レバーの前記第１の回転操作に伴い前記第３の回転軸回りに回転移動されることを特徴とする請求項１又は２に記載のレバースイッチ装置。
【請求項４】
前記マグネットは、前記第３の回転軸の方向に着磁されていることを特徴とする請求項１から３のいずれか１項に記載のレバースイッチ装置。
【請求項５】
前記マグネットの前記回転移動を検出する検出部は、前記マグネットの回転移動に伴う磁界の方向変化を検出でき、かつ、前記マグネットのスライド移動に伴う磁界の方向が変化しない位置に設けられていることを特徴とする請求項１から４のいずれか１項に記載のレバースイッチ装置。
【請求項６】
前記マグネットの前記スライド移動を検出する検出部は、前記マグネットのスライド移動に伴う磁界の方向変化を検出でき、かつ、前記マグネットの回転移動に伴う磁界の方向が変化しない位置に設けられていることを特徴とする請求項１から５のいずれか１項に記載のレバースイッチ装置。
【発明の詳細な説明】
【技術分野】
【０００１】
本発明は、レバースイッチ装置に関する。
【背景技術】
【０００２】
従来の技術として、主に自動車のステアリングホイール近傍に装着され、ヘッドランプやターンシグナルランプ等の操作に用いられるレバースイッチ装置が知られている。例えば、レバースイッチ装置は、操作レバーに取付けられたホルダの前端部に挿入孔を形成し、この挿入孔に駆動体をスライド可能に保持すると共に、この駆動体をスプリング力によってケースのカム面に圧接する。挿入孔の内周面の上下両端に軸線方向へ延びる一対のガイド溝を形成し、ガイド溝を駆動体のカム面に対する摺動方向と直交する面内に位置させる。一方、第１の駆動体の外周面に軸線方向へ延びる一対のガイド突起を形成し、これらガイド突起を微少クリアランスを保って挿入孔のガイド溝に挿入する構成とする。これにより、レバーの２方向の傾倒操作を可能としている（特許文献１参照）。
【０００３】
また、レバーの傾倒操作による交差する２方向の動きを非接触で検出するものとして、外レバーの揺動操作に応じて回転する第一の回転体と第二の回転体を設け、この中央に装着された２つの磁石の磁気をそれぞれの磁石に対応して設けられた２つの磁気検出素子で検出すると共に、制御手段がこの検出信号から各回転体の回転角度を検出し、これに応じた操作信号を出力する構成とされたレバースイッチ装置がある（特許文献２参照）。
【先行技術文献】
【特許文献】
【０００４】
【特許文献１】特開２００１−６４９４号公報
【特許文献２】特開２００８−２１８０６７号公報
【発明の概要】
【発明が解決しようとする課題】
【０００５】
しかし、特許文献１のレバースイッチ装置は、レバーの傾倒操作による摺動接点の移動を検出するものであり、信頼性、耐久性等に問題があった。また、特許文献２のレバースイッチ装置は、レバーの傾倒操作による交差する２方向の動きを磁気検出素子で検出するために、それぞれの動きに対応して２つの磁石を要するという問題があった。
【０００６】
従って、本発明の目的は、１つの磁石で２方向の動きを非接触で検出できるレバースイッチ装置を提供することにある。
【課題を解決するための手段】
【０００７】
［１］本発明は、上記目的を達成するために、筐体と、前記筐体に収容され、第１の回転軸の回りの第１の回転操作の方向に回転移動可能なブラケットと、前記ブラケットに収容され、前記第１の回転操作により前記ブラケットと一体となって前記第１の回転軸の回りに回転移動可能で、前記第１の回転軸と交差する第２の回転軸の回りの第２の回転操作の方向に前記ブラケットと独立に回転移動可能な操作レバーと、前記ブラケットに収容され、前記操作レバーの前記第１の回転操作により前記ブラケットと一体となって前記第１の回転軸の回りに回転移動可能で、前記操作レバーの前記第２の回転操作により前記第１の回転操作の面内でスライド移動可能なホルダと、前記操作レバーの前記第１の回転操作に伴い第３の回転軸の回りに回転移動する回転ホルダと、前記回転ホルダに収容され、前記第１の回転操作に伴い前記回転ホルダと一緒に前記回転移動すると共に、前記第２の回転操作に伴い前記第３の回転軸に交差する方向に前記ホルダのスライド移動に伴って前記回転ホルダ内をスライド移動するマグネットと、前記マグネットの前記回転移動及び前記スライド移動をそれぞれ独立に検出する２つの検出部と、を有することを特徴とするレバースイッチ装置を提供する。
【０００８】
［２］前記第３の回転軸は、前記筐体側に設けられていることを特徴とする上記［１］に記載のレバースイッチ装置であってもよい。
【０００９】
［３］また、前記回転ホルダは、前記第３の回転軸の中心から離間した位置に係合部を有し、前記ブラケットに設けられた突起部により前記係合部と係合し、前記操作レバーの前記第１の回転操作に伴い前記第３の回転軸回りに回転移動されることを特徴とする上記［１］又は［２］に記載のレバースイッチ装置であってもよい。
【００１０】
［４］また、前記マグネットは、前記第３の回転軸の方向に着磁されていることを特徴とする上記［１］から［３］のいずれか１に記載のレバースイッチ装置であってもよい。
【００１１】
［５］また、前記マグネットの前記回転移動を検出する検出部は、前記マグネットの回転移動に伴う磁界の方向変化を検出でき、かつ、前記マグネットのスライド移動に伴う磁界の方向が変化しない位置に設けられていることを特徴とする上記［１］から［４］のいずれか１に記載のレバースイッチ装置であってもよい。
【００１２】
［６］また、前記マグネットの前記スライド移動を検出する検出部は、前記マグネットのスライド移動に伴う磁界の方向変化を検出でき、かつ、前記マグネットの回転移動に伴う磁界の方向が変化しない位置に設けられていることを特徴とする上記［１］から［５］のいずれか１に記載のレバースイッチ装置であってもよい。
【発明の効果】
【００１３】
本発明によれば、１つの磁石で２方向の動きを非接触で検出できる。
【図面の簡単な説明】
【００１４】
【図１】図１は、本発明の実施の形態に係るレバースイッチ装置が搭載された車両内部の概略図である。
【図２】図２は、レバースイッチ装置の外観を示す斜視図である。
【図３】図３は、レバースイッチ装置の分解斜視図である。
【図４】図４は、図２のＡ−Ａ断面図である。
【図５】図５（ａ）は、マグネットの形状を示す外観斜視図であり、（ｂ）は、着磁による磁束の分布を矢印で示す外観斜視図であり、（ｃ）は、図５（ｂ）のＧ−Ｇ断面における磁束分布を示す断面図である。
【図６】図６（ａ）は、マグネットが回転ホルダに組み込まれた状態と、ターン検出センサ、ディマ検出センサとの位置関係を示す斜視図、（ｂ）は、図６（ａ）のＥ−Ｅ断面における磁束の分布図、（ｃ）は、図６（ａ）のＦ方向から見た磁束の分布と、ターン検出センサ、ディマ検出センサとの位置関係を示す平面図である。
【図７】図７（ａ）は、図２のＢ方向から見た右折操作（矢印ＴＲ方向の操作）時の操作レバー、マグネットの移動状態を示す平面図、（ｂ）は、図２のＢ方向から見た中立時の操作レバー、マグネットの移動状態を示す平面図、（ｃ）は、図２のＢ方向から見た左折操作（矢印ＴＬ方向の操作）時の操作レバー、マグネットの移動状態を示す平面図である。なお、図７は、上部筐体を取り除いて見た上平面図である。
【図８】図８（ａ）は、磁気センサの回路図例であり、（ｂ）は、第１ＭＲブリッジと第２ＭＲブリッジにより検出される検出信号Ｓ１、Ｓ２を示す信号波形図である。
【図９】図９（ａ）は、図２のＡ−Ａ断面で、ディマ操作時の操作レバー、マグネットの移動状態を示す部分断面図、（ｂ）は、図２のＡ−Ａ断面で、中立時の操作レバー、マグネットの移動状態を示す部分断面図、（ｃ）は、図２のＡ−Ａ断面で、パッシング操作時の操作レバー、マグネットの移動状態を示す部分断面図である。
【発明を実施するための形態】
【００１５】
（本発明の実施の形態の要約）
本発明の実施の形態に係るレバースイッチ装置は、筐体と、前記筐体に収容され、第１の回転軸の回りの第１の回転操作の方向に回転移動可能なブラケットと、前記ブラケットに収容され、前記第１の回転操作により前記ブラケットと一体となって前記第１の回転軸の回りに回転移動可能で、前記第１の回転軸と交差する第２の回転軸の回りの第２の回転操作の方向に前記ブラケットと独立に回転移動可能な操作レバーと、前記ブラケットに収容され、前記操作レバーの前記第１の回転操作により前記ブラケットと一体となって前記第１の回転軸の回りに回転移動可能で、前記操作レバーの前記第２の回転操作により前記第１の回転操作の面内でスライド移動可能なホルダと、前記操作レバーの前記第１の回転操作に伴い第３の回転軸の回りに回転移動する回転ホルダと、前記回転ホルダに収容され、前記第２の回転操作に伴い前記第３の回転軸に交差する方向に前記ホルダのスライド移動に伴って回転ホルダ内をスライド移動するマグネットと、前記マグネットの前記回転移動及び前記スライド移動をそれぞれ独立に検出する２つの検出部と、を備えて概略構成されている。
【００１６】
（レバースイッチ装置１の全体構成）
図１は、本発明の実施の形態に係るレバースイッチ装置が搭載された車両内部の概略図である。図２は、レバースイッチ装置の外観を示す斜視図である。図３は、レバースイッチ装置の分解斜視図である。また、図４は、図２のＡ−Ａ断面図である。
【００１７】
レバースイッチ装置１は、例えば、車両５のウインカー（方向指示器）やヘッドランプを操作することが可能な操作装置である。このレバースイッチ装置１は、図１に示すように、車両のステアリング６の近傍に装着され、ステアリングコラムを覆うステアリングコラムカバー７から突出するように配置されている。
【００１８】
図１の紙面において右側に突出して配置されたレバースイッチ装置１は、例えば、方向指示器及びヘッドランプ等を操作するものである。本実施の形態では、右ハンドルの車両を前提とし、右側に突出した方向指示器等を操作することが可能なレバースイッチ装置１について説明する。
【００１９】
レバースイッチ装置１は、筐体２０と、筐体２０に収容され、第１の回転軸Ｌ１の回りの第１の回転操作の方向に回転移動可能なブラケット３０と、ブラケット３０に収容され、第１の回転操作によりブラケット３０と一体となって第１の回転軸Ｌ１の回りに回転移動可能で、第１の回転軸Ｌ１と交差する第２の回転軸Ｌ２の回りの第２の回転操作の方向にブラケット３０と独立に回転移動可能な操作レバー１０と、ブラケット３０に収容され、操作レバー１０の第１の回転操作によりブラケット３０と一体となって第１の回転軸の回りに回転移動可能で、操作レバー１０の第２の回転操作により第１の回転操作の面内でスライド移動可能なホルダ４０と、操作レバー１０の第１の回転操作に伴い第３の回転軸の回りに回転移動する回転ホルダ６０と、回転ホルダ６０に収容され、第２の回転操作に伴い第３の回転軸に交差する方向にホルダ４０のスライド移動に伴って回転ホルダ６０内をスライド移動するマグネット５０と、マグネット５０の回転移動及びスライド移動をそれぞれ独立に検出する２つの検出部（ターン検出センサ８０、ディマ検出センサ９０）と、を備えて概略構成されている。
【００２０】
ここで、図３で示す第１の回転軸Ｌ１の回りの第１の回転操作の方向は、図２に示す矢印ＴＬ方向、及び矢印ＴＬ方向とは逆方向となる矢印ＴＲ方向の操作を示している。この矢印ＴＬ方向の操作は、例えば、車両５の左側のウインカー（方向指示器）を点滅させる左折操作である。また矢印ＴＲ方向の操作は、例えば、右側のウインカー（方向指示器）を点滅させる右折操作である。すなわち、第１の回転操作は、左折又は右折のためのウインカー（方向指示器）操作であり、操作レバー１０のターン操作である。
【００２１】
一方、図３で示す第２の回転軸Ｌ２の回りの第２の回転操作の方向は、図２に示す矢印Ｄ方向、及び矢印Ｄ方向とは逆方向となる矢印Ｐ方向の操作を示している。この矢印Ｄ方向の操作は、例えば、車両５のヘッドランプの光軸を上向きに切り替える操作（ディマＨＵ操作）である。また矢印Ｐ方向の操作は、例えば、操作を維持している間、ヘッドライトの光軸を上向きに切り替える操作（パッシング操作）である。レバースイッチ装置１は、例えば、矢印Ｐ方向の操作に対しては、操作が終了した後に中立位置に復帰するモーメンタリースイッチとして構成されている。またレバースイッチ装置１は、例えば、矢印Ｄ方向の操作に対しては、操作が終了した後、中立位置に復帰せず、矢印Ｄ方向に操作レバー１０が操作された状態が維持されるように構成されている。すなわち、第２の回転操作は、ヘッドランプの光軸を切り替える操作であり、操作レバー１０のディマ操作である。
【００２２】
上述の第１の操作方向（第１の回転操作）は、図２に示すレバースイッチ装置１の上部筐体２１が、操作者に向くように車両５に配置されるので、操作者から見て図２の上下方向に操作する方向となる。この上方向の操作は、矢印ＴＬ方向の操作であり、下方向の操作は、矢印ＴＲ方向の操作である。また第２の操作方向は、車両の前後方向に操作する方向となる。この前方向の操作は、矢印Ｄ方向の操作であり、操作レバー１０を操作者から遠ざけるような操作となる。また後方向の操作とは、矢印Ｐ方向の操作であり、レバー１０を操作者側に引き寄せるような操作となる。
【００２３】
なお、この矢印ＴＬ方向及び矢印ＴＲ方向の操作により操作レバー１０が形成する第１の回転操作の面と、矢印Ｄ方向及び矢印Ｐ方向の操作により操作レバー１０が形成する操作面とは、交差し、実質的に直交する。
【００２４】
（操作レバー１０の構成）
操作レバー１０は、ブラケット３０に収容され、第１の回転操作（ターン操作）によりブラケット３０と一体となって第１の回転軸Ｌ１の回りに回転移動可能で、第１の回転軸Ｌ１と交差する第２の回転軸Ｌ２の回りの第２の回転操作（ディマ操作）の方向にブラケット３０と独立に回転移動可能に構成、配置されている。
【００２５】
操作レバー１０は、ブラケット３０の中に挿入されて収容される挿入部１１、操作者がターン操作やディマ操作のために把持するレバー本体１２、及び、挿入部１１とレバー本体１２との間に位置し、操作レバー１０のディマ操作の回転中心である第２の回転軸Ｌ２となる回転軸部１３から概略構成されている。
【００２６】
回転軸部１３は、図３に示すように、第２の回転軸Ｌ２の両方向に突出して形成され、挿入部１１がブラケット３０の中に挿入されることにより、ブラケット３０の支持穴部３３に回転可能に支持される。
【００２７】
挿入部１１の先端側には、後述するホルダ４０と係合して、ディマ操作時にホルダ４０をスライド移動させるための駆動突起部１４が突出して形成されている。
【００２８】
挿入部１１の先端には、節度ピース１６がスプリング１７を介して挿入される挿入穴１５が形成されている。この節度ピース１６は、操作レバー１０がブラケット３０及び筐体２０に組み付けられた状態で、スプリング１７により節度ブロック２５へ向かって付勢される。これにより、ターン操作、ディマ操作時に必要な節度感を付与することができる。
【００２９】
（筐体２０の構成）
筐体２０は、図２、３に示すように、上部筐体２１と下部筐体２２とから構成されている。上部筐体２１には、節度ブロック２５が節度ピース１６に対応して装着される。また、下部筐体２２には、マグネットホルダ７０、基板１００が下側から固定される。上部筐体２１と下部筐体２２は、係止部２１ａと係止突起部２２ａとが係合することにより互いに係止されて固定される。
【００３０】
上部筐体２１は、内部にブラケット３０等を収容可能とする箱形状とされている。図４に示すように、内部上面にはブラケット３０の回転軸部３１を回転可能に支持する支持穴部２１ｂが形成されている。上部筐体２１はブラケット３０の上部を回転可能に支持し、下部筐体２２がブラケット３０の下部を回転可能に支持して、上部筐体２１と下部筐体２２とでブラケット３０を挟み込むように収容する。上部筐体２１の内部は、ブラケット３０が支持穴部２１ｂの回りに所定角度（ターン操作に必要な角度）だけ回転移動できるように内部空間が形成されている。
【００３１】
上部筐体２１の内部には、図４に示すように、節度ブロック２５が装着されている。節度ブロック２５は、付勢された節度ピース１６と節度溝２５ａにより、ターン操作、ディマ操作時に必要な節度感を付与する。
【００３２】
下部筐体２２は、内部にブラケット３０等を収容可能とする箱形状とされている。図４に示すように、内部下面にはブラケット３０の環状壁部３２を回転可能に支持する環状溝部２２ｂが形成されている。上部筐体２１と同様に、下部筐体２２の内部は、ブラケット３０が環状溝部２２ｂの回りに所定角度（ターン操作に必要な角度）だけ回転移動できるように内部空間が形成されている。
【００３３】
下部筐体２２は、図３に示すように、下側から、マグネットホルダ７０、基板１００が固定されている。
【００３４】
（ブラケット３０の構成）
ブラケット３０は、第１の回転軸Ｌ１に、回転軸部３１が突出して形成され、また、図４に示すように、環状壁部３２が形成されている。これにより、ブラケット３０は、第１の回転軸Ｌ１の回りに所定角度（ターン操作に必要な角度）だけ回転移動可能な状態で筐体２０の中に収容される。
【００３５】
ブラケット３０には、第２の回転軸Ｌ２に、操作レバー１０の回転軸部１３と回転可能に嵌合して支持する支持穴部３３が形成されている。これにより、ブラケット３０は、内部に、第２の回転軸Ｌ２の回りの第２の回転操作（ディマ操作）の方向にブラケット３０と独立に回転移動可能な状態で、操作レバー１０を収容する。
【００３６】
ブラケット３０は、第１の回転軸Ｌ１から離間した位置に、後述する回転ホルダ６０を回転駆動するための駆動突起部３４が形成されている。この駆動突起部３４は、操作レバー１０の第１の回転操作（ターン操作）により、第１の回転軸Ｌ１の回りに、ブラケット３０と共に所定角度だけ回転移動する。
【００３７】
（ホルダ４０の構成）
ホルダ４０は、操作レバー１０の第１の回転操作（ターン操作）によりブラケット３０と一体となって第１の回転軸Ｌ１の回りに回転移動可能で、操作レバー１０の第２の回転操作により第１の回転操作の面内でスライド移動可能な状態で、ブラケット３０の中に収容されている。
【００３８】
ホルダ４０は、図３に示すように、ホルダ４０の上部に、操作レバー１０の駆動突起部１４が嵌合する傾斜溝４１が形成されている。この傾斜溝４１は、操作レバー１０が第２の回転軸Ｌ２の回りに第２の回転操作（ディマ操作）がされた場合に、駆動突起部１４の上下移動に対してカム溝として機能し、ホルダ４０は、操作レバー１０の第２の回転操作により第１の回転操作の面内でスライド移動する。ホルダ４０には、このスライド移動がブラケット３０の中で可能となるよう、ブラケット３０内でスライド移動のガイドとなるガイド部４３が形成されている。
【００３９】
また、ホルダ４０は、図３に示すように、ホルダ４０の下部に、操作レバー１０が第２の回転軸Ｌ２の回りに第２の回転操作（ディマ操作）された場合に、上記説明したスライド移動により後述するマグネット５０を回転ホルダ６０内でスライド移動させるための駆動溝４２が形成されている。この駆動溝４２は、操作レバー１０が第１の回転軸Ｌ１の回りに第１の回転操作（ターン操作）がされた場合に、マグネット５０の軸部５５に干渉しないための溝として形成されている。
【００４０】
（マグネット５０の構成）
マグネット５０は、例えば、アルニコ磁石、フェライト磁石、ネオジム磁石等の永久磁石、又は、フェライト系、ネオジム系、サマコバ系、サマリウム鉄窒素系等の磁性体材料と、ポリスチレン系、ポリエチレン系、ポリアミド系、アクリロニトリル／ブタジエン／スチレン（ＡＢＳ）等の合成樹脂材料と、を混合して所望の形状に成形したプラスチックマグネットである。本実施の形態では、マグネット５０は、プラスチックマグネットを使用している。
【００４１】
図５（ａ）は、マグネットの形状を示す外観斜視図であり、（ｂ）は、着磁による磁束の分布を矢印で示す外観斜視図であり、（ｃ）は、図５（ｂ）のＧ−Ｇ断面における磁束分布を示す断面図である。図３、５（ａ）に示すように、マグネット５０は、長辺部５１と短辺部５２を有する直方体形状の本体部５３と、上面部５４の中心に上方へ突設して駆動溝４２と嵌合する軸部５５が形成されている。
【００４２】
マグネット５０の着磁方向は、図５（ｂ）等に示すように、第３の回転軸Ｌ３の方向であり、本体部５３の厚さ方向である。この着磁により、上面部５４の側がＮ極、反対側がＳ極となる。なお、逆極性での着磁も可能である。この着磁により、図５（ｂ）、（ｃ）に示すように、代表的な磁束５００は、長辺部５１、短辺部５２側の上面部５４のＮ極から裏面側へ向かって放射される。図５（ｂ）からわかるように、磁束５００は、第３の回転軸Ｌ３に線対称に形成される。
【００４３】
（回転ホルダ６０）
図６（ａ）は、マグネットが回転ホルダに組み込まれた状態と、ターン検出センサ、ディマ検出センサとの位置関係を示す斜視図、（ｂ）は、図６（ａ）のＥ−Ｅ断面における磁束の分布図、（ｃ）は、図６（ａ）のＦ方向から見た磁束の分布と、ターン検出センサ、ディマ検出センサとの位置関係を示す平面図である。
【００４４】
回転ホルダ６０は、所定の厚さを有する円板部６１を有し、その厚さ方向（第３の回転軸Ｌ３方向）にはマグネット保持穴６２が形成されている。また、円板部６１の一方から径方向に突出して２つの突出部６４が形成され、この２つの突出部６４に挟まれた領域にはブラケット３０の駆動突起部３４が嵌合する凹部６５が形成されている。
【００４５】
凹部６５は、マグネット５０の本体部５３が嵌合し、かつ、長辺部５１の方向にスライド移動可能とされている。この長辺部５１のスライド移動方向は、操作レバー１０が第２の回転軸Ｌ２の回りに第２の回転操作（ディマ操作）がされた場合にホルダ４０がスライド移動する方向である。マグネット保持穴６２は、マグネット５０の長辺部５１との間にはスライド移動可能に支持するための隙間を有し、また、マグネット５０の短辺部５２との間ににはスライド移動する距離だけの隙間を有して矩形状に形成されている。なお、本実施の形態では、マグネット保持穴６２は貫通穴とされ、マグネット保持穴６２とマグネット５０の本体部５３の厚さ寸法は同じに設定されている。この回転ホルダ６０は、樹脂（非磁性材料）により形成されている。
【００４６】
（マグネットホルダ７０の構成）
マグネットホルダ７０は、図４に示したように、基板１００に固定された状態で、下部筐体２２に位置決めされて固定される。マグネットホルダ７０は、支持部７１、第３の回転軸Ｌ３と同心円状に形成された壁部７３等を有している。支持部７１は、マグネット５０及び回転ホルダ６０の底面と当接して、マグネット５０及び回転ホルダ６０の回転又はスライド移動を支持する。壁部７３は、マグネット５０の回転を支持して第３の回転軸Ｌ３を規定する。また、図示省略するが、マグネットホルダ７０の一部には、マグネット５０の第３の回転軸Ｌ３の方向への移動を規制する規制部が形成されている。このマグネットホルダ７０は、樹脂（非磁性材料）により一体に形成されている。
【００４７】
上記説明した操作レバー１０、筐体２０、ブラケット３０、ホルダ４０は、マグネット５０の近くに配置されるので、回転ホルダ６０、マグネットホルダ７０と同様に樹脂等の非磁性材料により形成されるのが好ましい。
【００４８】
（磁気センサの構成）
検出部としての磁気センサは、ターン検出センサ８０、ディマ検出センサ９０である。ターン検出センサ８０、ディマ検出センサ９０は、共に、磁気抵抗素子を用いたＭＲ（Magneto Resistive）センサが使用される。なお、他の磁気センサとして、ホール素子を用いたホールセンサ等も使用可能である。
【００４９】
ターン検出センサ８０は、図６（ａ）〜（ｃ）に示すように、マグネット５０の短辺部５２の下側付近に配置されている。図４に示すように、ターン検出センサ８０は、マグネットホルダ７０の支持部７１から所定距離だけ離間した基板１００上に実装された状態で下部筐体２２に位置決めされて固定される。
【００５０】
図５（ｂ）、（ｃ）、図６（ｂ）に示すように、マグネット５０の代表的な磁束５００は、マグネット５０のＮ極からＳ極に向かって放射され、磁束５００は、第３の回転軸Ｌ３に線対称に分布する。ターン検出センサ８０は、マグネット５０の短辺部５２の下側付近に配置されているので、マグネット５０の第３の回転軸Ｌ３回りの回転に伴う磁束５００の磁界の方向変化のみを検出できる。すなわち、ターン検出センサ８０は、マグネット５０の回転移動に伴う磁界の方向変化を検出でき、かつ、マグネット５０のスライド移動に伴う磁界の方向がほとんど変化しない位置に配置される。ターン検出センサ８０は、後述するＭＲ素子のブリッジで構成されており、このブリッジが構成される面が磁界の方向変化を検知する面になるように配置される。
【００５１】
ディマ検出センサ９０は、図６（ａ）〜（ｃ）に示すように、第３の回転軸Ｌ３上であって、マグネット５０の下側に配置されている。図４に示すように、ディマ検出センサ９０は、マグネットホルダ７０の支持部７１から所定距離だけ離間した基板１００上に実装された状態で下部筐体２２に位置決めされて固定される。
【００５２】
図５（ｂ）、（ｃ）、図６（ｂ）に示すように、マグネット５０の代表的な磁束５００は、マグネット５０のＮ極からＳ極に向かって放射され、磁束５００は、第３の回転軸Ｌ３に線対称に分布する。ディマ検出センサ９０は、第３の回転軸Ｌ３上であって、マグネット５０の下側に配置されているので、マグネット５０の回転に伴う磁界の方向変化を検出しない。ディマ検出センサ９０は、第３の回転軸Ｌ３上に配置されるので、第３の回転軸Ｌ３に線対称に分布する磁界の第３の回転軸Ｌ３回りの方向変化には感度を有しないからである。すなわち、ディマ検出センサ９０は、マグネット５０のスライド移動に伴う磁界の方向変化を検出でき、かつ、マグネット５０の回転移動に伴う磁界の方向が変化しない位置に配置される。
【００５３】
（レバースイッチ装置１の動作と検出動作）
以下では、本実施の形態に係るレバースイッチ装置１の動作と、第１の回転操作（ターン操作）及び第２の回転操作（ディマ操作）における回転検出動作について説明する。
【００５４】
（ターン操作と検出動作）
図７（ａ）は、図２のＢ方向から見た右折操作（矢印ＴＲ方向の操作）時の操作レバー、マグネットの移動状態を示す平面図、（ｂ）は、図２のＢ方向から見た中立時の操作レバー、マグネットの移動状態を示す平面図、（ｃ）は、図２のＢ方向から見た左折操作（矢印ＴＬ方向の操作）時の操作レバー、マグネットの移動状態を示す平面図である。なお、図７は、上部筐体２１を取り除いて見た上平面図である。
【００５５】
図７（ａ）において、第１の回転操作（ターン操作）により、操作レバー１０が矢印ＴＲ方向に操作されると、操作レバー１０は、第１の回転軸Ｌ１の回りに回転移動する。図３で示したブラケット３０は、操作レバー１０と一体となって回転し、駆動突起部３４も第１の回転軸Ｌ１の回りに回転移動する。回転ホルダ６０は、凹部６５が駆動突起部３４に嵌合しているので、操作レバー１０の回転操作に伴って、回転ホルダ６０及びマグネット５０は第３の回転軸Ｌ３の回りに回転移動する。これにより、図６（ａ）〜図６（ｃ）、及び図７（ａ）で示すターン検出センサ８０を通過する磁界の方向が変化する。
【００５６】
図７（ｂ）は、操作レバー１０が回転操作されていない中立時の位置状態を示す。この状態では、操作レバー１０、ブラケット３０は回転していないので、回転ホルダ６０及びマグネット５０も回転しない。これにより、図６（ａ）〜図６（ｃ）、及び図７（ｂ）で示すターン検出センサ８０を通過する磁界の方向は変化しない。
【００５７】
図７（ｃ）において、第１の回転操作（ターン操作）により、操作レバー１０が矢印ＴＬ方向に操作されると、操作レバー１０は、第１の回転軸Ｌ１の回りに回転移動する。図３で示したブラケット３０は、操作レバー１０と一体となって回転し、駆動突起部３４も第１の回転軸Ｌ１の回りに回転移動する。回転ホルダ６０は、凹部６５が駆動突起部３４に嵌合しているので、操作レバー１０の回転操作に伴って、回転ホルダ６０及びマグネット５０は第３の回転軸Ｌ３の回りに回転移動する。これにより、図６（ａ）〜図６（ｃ）、及び図７（ｃ）で示すターン検出センサ８０を通過する磁界の方向が変化する。なお、この磁界の方向変化は、操作レバー１０の矢印ＴＲ方向への操作時と逆方向である。
【００５８】
（回転検出動作）
図８（ａ）は、磁気センサの回路図例であり、（ｂ）は、第１ＭＲブリッジと第２ＭＲブリッジにより検出される検出信号Ｓ１、Ｓ２を示す信号波形図である。
【００５９】
図８（ａ）は、２つのフルブリッジが４５°の回転角度を有して配置されている構成を示している。第１ＭＲブリッジ２１０（ＭＲ素子２１１、２１２，２１３、２１４）のノード２１５ｂ、２１５ｄからは中間電圧がオペアンプ（差動アンプ）ＯＰ１に入力されて、検出信号Ｓ１が差動信号として検出できる構成とされている。同様に、第２ＭＲブリッジ２２０（ＭＲ素子２２１、２２２，２２３、２２４）のノード２２５ｂ、２２５ｄからは中間電圧がオペアンプ（差動アンプ）ＯＰ２に入力されて、検出信号Ｓ２が差動信号として検出できる構成とされている。なお、ノード２１５ａ、２２５ａには、基準電圧Ｖｃｃが印加され、ノード２１５ｃ、２２５ｃは、接地（ＧＮＤ）されている。また、検出信号Ｓ１及び検出信号Ｓ１は、基板１００に設けられたコネクタ１１０を介して、例えば、車両５の車両制御部に出力される。
【００６０】
上記のように構成された磁気センサであるターン検出センサ８０は、このターン検出センサ８０に対向して配置されたマグネット５０の磁界の方向変化として検出信号Ｓ１、Ｓ２を出力し、図８（ｂ）に示すように、４５°の位相差を有して検出することができる。例えば、この２つの検出信号Ｓ１、Ｓ２を割算してアークタンジェントをとるＡｒｃｔａｎ処理を行なうことにより、例えば、記憶部にテーブルとして記憶されたＡｒｃｔａｎ表を参照して、磁界の方向位置を算出することができる。この算出された磁界の方向位置は、操作レバー１０の回転操作位置に対応する。したがって、操作レバー１０が第１の回転軸Ｌ１の回りにどのような操作（左折操作すなわち矢印ＴＬ方向の操作、または、右折操作すなわち矢印ＴＲ方向の操作）が行われたかを検出することができる。
【００６１】
（ディマ操作と検出動作）
図９（ａ）は、図２のＡ−Ａ断面で、ディマ操作時の操作レバー、マグネットの移動状態を示す部分断面図、（ｂ）は、図２のＡ−Ａ断面で、中立時の操作レバー、マグネットの移動状態を示す部分断面図、（ｃ）は、図２のＡ−Ａ断面で、パッシング操作時の操作レバー、マグネットの移動状態を示す部分断面図である。
【００６２】
図９（ａ）において、第２の回転操作（ディマ操作）により、操作レバー１０が矢印Ｄ方向に操作されると、操作レバー１０は第２の回転軸Ｌ２の回りに回転移動する。図３で示したホルダ４０は、操作レバー１０の駆動突起部１４が上方向に移動することから、この駆動突起部１４に嵌合する傾斜溝４１を介して図９（ａ）の左方向にスライド移動する。ホルダ４０の駆動溝４２によってマグネット５０は、回転ホルダ６０内で左方向にスライド移動する。これにより、図６（ａ）〜図６（ｃ）、及び図９（ａ）で示すディマ検出センサ９０を通過する磁界の方向が変化する。
【００６３】
図９（ｂ）は、操作レバー１０が回転操作されていない中立時の位置状態を示す。この状態では、操作レバー１０は回転せず、また、ホルダ４０はスライド移動していないので、回転ホルダ６０及びマグネット５０もスライド移動しない。これにより、図６（ａ）〜図６（ｃ）、及び図９（ｂ）で示すディマ検出センサ９０を通過する磁界の方向は変化しない。
【００６４】
図９（ｃ）において、第２の回転操作（パッシング操作）により、操作レバー１０が矢印Ｐ方向に操作されると、操作レバー１０は第２の回転軸Ｌ２の回りに回転移動する。図３で示したホルダ４０は、操作レバー１０の駆動突起部１４が下方向に移動することから、この駆動突起部１４に嵌合する傾斜溝４１を介して図９（ａ）の右方向にスライド移動する。ホルダ４０の駆動溝４２によってマグネット５０は、回転ホルダ６０内で右方向にスライド移動する。これにより、図６（ａ）〜図６（ｃ）、及び図９（ｃ）で示すディマ検出センサ９０を通過する磁界の方向が変化する。なお、この磁界の方向変化は、操作レバー１０の矢印Ｄ方向への操作時と逆方向である。
【００６５】
（回転検出動作）
ディマ検出センサ９０は、ターン検出センサ８０と同様に、図８（ａ）で示したように２つのフルブリッジが４５°の回転角度を有して配置された構成である。したがって、ターン検出センサ８０と同様に、算出された磁界の方向位置は、操作レバー１０の回転操作位置に対応する。したがって、操作レバー１０が第２の回転軸Ｌ２の回りにどのような操作（ディマ操作すなわち矢印Ｄ方向の操作、または、パッシング操作すなわち矢印Ｐ方向の操作）が行われたかを検出することができる。
【００６６】
（実施の形態の効果）
本実施の形態に係るレバースイッチ装置によれば、次のような効果を有する。
（１）本実施の形態では、操作レバー１０のターン操作、ディマ操作の交差する２つの方向の操作により、マグネット５０が回転とスライド移動の２方向への動きをとる。本実施の形態は、このマグネット５０の異なる方向への動きを可能とする構成とされているので、１つのマグネットで２方向の検出が可能となる。
（２）本実施の形態では、マグネット５０の異なる方向への動きを、ターン検出センサ８０とディマ検出センサ９０の２つの磁気センサで検出する。ターン検出センサ８０は、マグネット５０の回転移動に伴う磁界の方向変化を検出でき、かつ、マグネット５０のスライド移動に伴う磁界の方向が変化しない位置に配置される。一方、ディマ検出センサ９０は、マグネット５０のスライド移動に伴う磁界の方向変化を検出でき、かつ、マグネット５０の回転移動に伴う磁界の方向が変化しない位置に配置される。これにより、１つのマグネットの動きに対して、クロストークが無い、あるいは大きく低減可能な２方向の検出が可能となる。
（３）１つのマグネットに対して２つの磁気センサで検出する構成により、従来のように２つのマグネットを使用する構成に比較して、低コスト化が可能である。また、２つの磁気センサは、基板上に並べて実装できるので、実装が簡単で低コスト化が可能である。
（４）マグネット数を削減することで、ターン検出、ディマ検出の必要とする範囲が低減し、レバースイッチ装置の小型化が可能となる。
【００６７】
以上、本発明の実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００６８】
１…レバースイッチ装置、５…車両、６…ステアリング、７…ステアリングコラムカバー
１０…操作レバー、１１…挿入部、１２…レバー本体、１３…回転軸部、
１４…駆動突起部、１５…挿入穴、１６…節度ピース、１７…スプリング、２０…筐体、２１…上部筐体、２１ａ…係止部、２１ｂ…支持穴部、２２…下部筐体、
２２ａ…係止突起部、２２ｂ…環状溝部、２５…節度ブロック、２５ａ…節度溝、
３０…ブラケット、３１…回転軸部、３２…環状壁部、３３…支持穴部、
３４…駆動突起部、４０…ホルダ、４１…傾斜溝、４２…駆動溝、４３…ガイド部、
５０…マグネット、５１…長辺部、５２…短辺部、５３…本体部、５４…上面部、
５５…軸部、６０…回転ホルダ、６１…円板部、６２…マグネット保持穴、６４…突出部、６５…凹部、７０…マグネットホルダ、７１…支持部、７３…壁部、
８０…ターン検出センサ、９０…ディマ検出センサ、１００…基板、１１０…コネクタ、２１０…第１ＭＲブリッジ、２１１、２１２，２１３、２１４…ＭＲ素子、
２２０…第２ＭＲブリッジ、２２１、２２２，２２３、２２４…ＭＲ素子、
５００…磁束
【図１】
2016012465.tif 000003
【図２】
2016012465.tif 000004
【図３】
2016012465.tif 000005
【図４】
2016012465.tif 000006
【図５】
2016012465.tif 000007
【図６】
2016012465.tif 000008
【図７】
2016012465.tif 000009
【図８】
2016012465.tif 000010
【図９】
2016012465.tif 000011